(57)【要約】【課題】運転モードに応じて効率よく調和空気を吹き出すことが可能な空気調和機を提供する。【解決手段】空気を吹き出す吹出口４を有するケーシング２と、該ケーシング２の吹出口４及びその周辺部分を被覆する導風パネル７とを備え、導風パネル７は、吹出口４とほぼ同じ大きさで吹出口４を被覆するカバー体８と、該カバー体８を取り囲むパネル体９とから構成され、パネル体９は、その下端部においてケーシング左右方向Ａと平行に設けられた第１回動軸１０を介してケーシングに対して回動可能に取り付けられ、カバー体８は、その上部位置においてケーシング左右方向Ａと平行に設けられた第２回動軸１１を介してパネル体９に対して回動可能に取り付けられた構成とする。【選択図】        図２
2008111577.tif 000002
【特許請求の範囲】
【請求項１】
空気を吹き出す吹出口を有するケーシングと、該ケーシングの吹出口及びその周辺部分を被覆する導風パネルとを備え、前記導風パネルは、吹出口から吹き出す空気を通過させる通気部を有するパネル体と、通気部を塞ぐカバー体とから構成され、前記導風パネルは、その下端部において、軸方向がケーシング左右方向と平行に設けられた第１回動軸を介してケーシングに対して回動可能に取り付けられ、カバー体は、その上部位置において、軸方向がケーシング左右方向と平行に設けられた第２回動軸を介してパネル体に対して回動可能に取り付けられたことを特徴とする空気調和機。
【請求項２】
前記導風パネルは、パネル体がケーシングを被覆し、カバー体が通気部を塞ぐ姿勢とした初期姿勢と、初期姿勢からカバー体及びパネル体を一体的に第１回動軸周りに回動させて吹出口からの空気をケーシングの前方に吹き出させる前方吹出姿勢と、初期姿勢からカバー体のみ第２回動軸周りに回動させて吹出口からの空気をケーシングの下方に吹き出させる下方吹出姿勢との間で姿勢を切換え可能とされたことを特徴とする請求項１記載の空気調和機。
【請求項３】
前記導風パネルを、初期姿勢と、前方吹出姿勢と、下方吹出姿勢との間でその姿勢を切換え作動させるパネル作動手段が設けられたことを特徴とする請求項２記載の空気調和機。
【請求項４】
前記パネル作動手段は、送りネジと、送りネジに螺合し、ケーシング前後方向に進退可能とされた送りナットと、カバー体において第２回動軸よりも上方に位置する部分と送りナットとを回動自在に連結する連結杆とを備えたことを特徴とする請求項３記載の空気調和機。
【請求項５】
前記導風パネルは、パネル作動手段の送りナットの位置を、初期姿勢時の位置から送りネジ前方に進めることで前方吹出姿勢をとり、初期姿勢時の位置から送りネジ後方に後退させることで下方吹出姿勢をとることを特徴とする請求項４記載の空気調和機。
【発明の詳細な説明】
【技術分野】
【０００１】
本発明は、運転モードごとに効率よく調和空気を吹き出すことが可能な空気調和機に関するものである。
【背景技術】
【０００２】
空気調和機の室内ユニットから調和空気を吹き出す場合、冷房運転時にはケーシング前方に水平方向に、暖房運転時には下方向に吹き出すことが室内の温度分布を均一にするために効果的であり、また、冷房運転時に室内ユニットから離れた場所まで調和空気を送るためには、ルーバーを長くしてルーバーに沿って空気を吹き出すことが効果的であることが知られている。
【０００３】
ところが、一般的な空気調和機は、吹出口の前方にケーシング左右横方向に平行な回動軸周りに回動自在な複数の横ルーバーを備えた構成とされており、ルーバーを長くしすぎると隣接するルーバー同士が回動の支障となるため、ルーバーの長さに制約があった。
【０００４】
上記問題を解決する空気調和機として、例えば、特許文献１に記載されているように、吹出口とほぼ同じ大きさの１枚の上下風向板を用い、これを揺動させることにより、冷房運転時には調和空気を水平方向に吹き出し、暖房運転時には調和空気を下向きに吹き出すようにした構成のものが知られている。
【特許文献１】特開平８−２４７４９１号公報
【発明の開示】
【発明が解決しようとする課題】
【０００５】
しかしながら、上記空気調和機においては、上下風向板を傾けるためには、上下風向板を揺動させるためのアームを長くし、かつアーム中心を移動可能にする必要があり、揺動機構が複雑化するという問題が生じていた。また、上下風向板の長さは吹出口の高さとほぼ同じであり、遠方まで調和空気を送るためには風向板の長さが不十分であるという問題もあった。
【０００６】
本発明は、上記課題を解決するためになされたものであり、運転モードに応じて効率よく調和空気を吹き出すことが可能な空気調和機を提供することを目的とする。
【課題を解決するための手段】
【０００７】
上記問題点を解決するため、本発明に係る空気調和機は、空気を吹き出す吹出口を有するケーシングと、ケーシングの吹出口及びその周辺部分を被覆する導風パネルとを備え、導風パネルは、吹出口から吹き出す空気を通過させる通気部を有するパネル体と、通気部を塞ぐカバー体とから構成され、導風パネルは、その下端部において、軸方向がケーシング左右方向と平行に設けられた第１回動軸を介してケーシングに対して回動可能に取り付けられ、カバー体は、その上部位置において、軸方向がケーシング左右方向と平行に設けられた第２回動軸を介してパネル体に対して回動可能に取り付けられたことを特徴とする。
【０００８】
上記構成によれば、導風パネルの長さは、カバー体とパネル体とを合せた長さになるため、すなわち、吹出口を覆う長さだけでなく、その上方部分までを覆う長さとされるため、充分な長さを確保することができる。従って、導風パネルは、パネル全体を第１回動軸周りに水平方向に回動させることにより、水平方向に遠方まで効率よく空気を送り出すことが可能なルーバーとして機能する。
【０００９】
さらに、導風パネルを、吹出口から吹き出す空気を通過させる通気部を有するパネル体と、通気部を塞ぐカバー体とから構成し、カバー体を、その上部位置において第２回動軸を介してパネル体に対して回動可能に取り付けたため、パネル体はケーシングを被覆する姿勢のまま、カバー体のみパネル体に対して回動させることにより、吹出口からの空気をケーシングの下方に吹き出させることが可能となる。これにより、運転モードに応じて効率よく調和空気を吹き出すことが可能となる。
【００１０】
上述したように、導風パネルは、パネル体がケーシングを被覆し、カバー体がパネル体の通気部を塞ぐ姿勢とした初期姿勢と、初期姿勢からカバー体及びパネル体を一体的に第１回動軸周りに回動させて吹出口からの空気をケーシングの前方（水平方向）に吹き出させる前方吹出姿勢と、初期姿勢からカバー体のみ第２階動軸周りに回動させて通気部を開放し、吹出口からの空気をケーシングの下方に吹き出させる下方吹出姿勢との間で姿勢を切換え可能とされる。
【００１１】
そこで、本発明においては、導風パネルを、初期姿勢と、前方吹出姿勢と、下方吹出姿勢との間でその姿勢を切換え作動させるパネル作動手段を設けるようにした。
【００１２】
パネル作動手段としては、送りネジと、送りネジに螺合し、ケーシング前後方向に進退可能とされた送りナットと、カバー体において第２回動軸よりも上方に位置する部分と送りナットとを回動自在に連結する連結杆とを備えた構成とすることができる。
【００１３】
上記構成によれば、送りネジを回転させて、送りナットを前進又は後退させることにより、容易に導風パネルの姿勢を変更することが可能となる。具体的に、導風パネルは、パネル作動手段の送りナットの位置を、初期姿勢時の位置から送りネジ前方に進めることで前方吹出姿勢とすることができ、初期姿勢時の位置から送りネジ後方に後退させることで下方吹出姿勢とすることができる。なお、送りネジは、モータによって回転させることができる。
【発明の効果】
【００１４】
以上のように、本発明によれば、ケーシングの吹出口及びその周辺部分を被覆する導風パネルを、吹出口から吹き出す空気を通過させる通気部を有するパネル体と、通気部を塞ぐカバー体とから構成し、パネル体をその下端部においてケーシング左右方向と平行に設けられた第１回動軸を介してケーシングに対して回動可能に取り付け、カバー体をその上部位置においてケーシング左右方向と平行に設けられた第２回動軸を介してパネル体に対して回動可能に取り付けたため、運転モードに応じて効率よく調和空気を吹き出すことが可能となる。
【発明を実施するための最良の形態】
【００１５】
以下、本発明の実施形態を図面に基づいて説明する。図１は本発明の実施形態であるセパレート型空気調和機の室内ユニットを示す断面図であり、図２は室内ユニットの外観を示す斜視図である。
【００１６】
本実施形態における室内ユニット１は、図１及び図２に示すように、ケーシング２の上面に空気の吸込み口３が形成され、ケーシング２の前面下部に空気の吹出口４が形成されている。そして、吸込み口３から吹出口４に至るケーシング２の内部空気流通路には、熱交換器５が配置され、熱交換器５に囲まれて、その吹出口４側にクロスフローファンからなる室内ファン６が内蔵されている。
【００１７】
ケーシング２の前面下部から前面にかけて、吹出口４及びその周辺部分を被覆する導風パネル７が設置されている。すなわち、導風パネル７は、吹出口４よりも大きく形成されており、ケーシング２の前面のほぼ全域を覆う大きさとされている。従って、後述するように、導風パネル７が前方吹出姿勢をとったときには、ルーバーとして充分な長さを確保することができ、調和空気を遠方まで効率よく送ることができる。
【００１８】
導風パネル７は、吹出口４から吹き出す空気を通過させるための通気部９ａを有するパネル体９と、通気部９ａを塞ぐカバー体８とから構成されている。通気部９ａは、パネル体９の下部に形成されている。本実施形態においては、パネル体９の下端に切り込みを形成し、これを通気部９ａとしているが、このほかにも周囲をパネル体９に開口を形成し、これを通気部９ａとすることもできる。
【００１９】
また、本実施形態では、通気部９ａは、吹出口４とほぼ同じ大きさに形成されている。カバー体４は通気部９ａとほぼ同じ大きさに形成され、カバー体４は通気部９ａに嵌め合わされた状態で通気部９ａを塞ぐようになっている。なお、カバー体４は、通気部９ａよりも大きく形成し、通気部９ａを前方から覆うように塞ぐことも可能である。
【００２０】
カバー体８は、パネル体９に対して、カバー体８の上部位置に設けられた第２回動軸１１を介して回動可能に取り付けられている。すなわち、図２に示すように、カバー体８は、両側面及び上面の三方をパネル体９に囲まれている。そして、第２回動軸１１は、カバー体８の左右側面の上部に形成され、パネル体９には、第２回動軸１１の形成位置に対応する位置に図示しない軸受部が形成されている。なお、第２回動軸１１をパネル体９側に設け、カバー体８側に軸受部を形成してもよい。
【００２１】
また、図２のように、パネル体９は、その下端部に形成された第１回動軸１０を介してケーシング２に対して回動可能とされている。第１回動軸１０及び第２回動軸１１は、いずれも軸方向がケーシング左右方向Ａと平行になるように配されている。
【００２２】
本実施形態においては、導風パネル７を作動させるパネル作動手段１２が設置されている。このパネル作動手段１２は、図３に示すように、モータ１３によって回転する送りネジ１４と、送りネジ１４に螺合した送りナット１５と、カバー体８において第２回動軸１１よりも上方に位置する部分１６（本実施形態ではカバー体８の上端部）と送りナット１５とを回動自在に連結する連結杆１７とを備えており、ケーシング２の左右両端部にそれぞれ１組ずつ設置されている。
【００２３】
送りネジ１４は、軸方向がケーシング２の前後方向Ｂと平行になるように配置されている。なお、パネル作動手段１２は、送りナット１５がケーシング前後方向に進退可能であればよく、送りネジの軸方向がケーシング前後方向Ｂと平行でなくとも差し支えない。
【００２４】
上記構成のパネル作動手段の動作について説明する。空気調和機には、マイコンからなる制御装置が備えられており、制御装置は、運転モード切換えスイッチや風向選択スイッチの入力信号により、さらには温度センサ、湿度センサ等の検出結果を考慮して導風パネル７の姿勢を決定し、その結果に基づいてモータ１３の駆動制御を行なう。
【００２５】
図３に示すように、空気調和機が停止している状態においては、パネル作動手段１２の送りナット１５が送りネジ１４の中間に位置し、カバー体８及びパネル体９ともにケーシング２を被覆する姿勢（初期姿勢）をとる。
【００２６】
次に、運転モードが冷房運転又は除湿運転である場合のように、制御装置が導風パネル７を前方吹出姿勢にすることを決定したときには、図４に示すように、モータ１３を回転させて送りナット１５の位置を初期姿勢時の位置から送りネジ１４前方に移動させる。これにより、導風パネル７全体が連結杆１７に押されて第１回動軸１０を中心に回動し、吹出口４からの空気をケーシング２の前方に吹き出す前方吹出姿勢をとる。
【００２７】
運転モードが暖房運転である場合のように、制御装置が、導風パネル７を下方吹出姿勢にすることを決定したときには、図５に示すように、モータ１３を回転させて送りナット１５の位置を初期姿勢時の位置から送りネジ１４後方に移動させる。
【００２８】
このとき、カバー体８における連結杆１７の連結部分１６には後方に引っ張る力が作用し、この引張力は第２階動軸１１を介してパネル体９に伝えられる。ところが、パネル体９は、初期姿勢時にすでにケーシング２に接しているため動くことができない。したがって、カバー体８が第２回動軸１１を中心として、図面上、時計回りに回動し下方吹出姿勢をとることになる。
【００２９】
以上説明したように、本実施形態における空気調和機は、パネル作動手段１２の送りナット１５の位置を前後させることで吹出口からの空気の吹き出し方向を容易に変更することが可能となる。
【図面の簡単な説明】
【００３０】
【図１】本発明の実施形態である空気調和機の室内ユニットを示す断面図
【図２】上記室内ユニットの外観を示す斜視図
【図３】初期姿勢時のパネル作動手段の状態を示す概略図
【図４】前方吹出姿勢時のパネル作動手段の状態を示す概略図
【図５】下方吹出姿勢時のパネル作動手段の状態を示す概略図
【符号の説明】
【００３１】
１                室内ユニット
２                ケーシング
３                吸込み口
４                吹出口
５                熱交換器
６                室内ファン
７                導風パネル
８                カバー体
９                パネル体
９ａ              通気部
１０                第１回動軸
１１                第２回動軸
１２                パネル作動手段
１３                モータ
１４                送りネジ
１５                送りナット
１６                カバー体と連結杆との連結位置
１７                連結杆
Ａ                ケーシング左右方向
Ｂ                ケーシング前後方向
【図１】
2008111577.tif 000003
【図２】
2008111577.tif 000004
【図３】
2008111577.tif 000005
【図４】
2008111577.tif 000006
【図５】
2008111577.tif 000007